(57)【要約】【課題】送風効率及び容積効率の高い冷蔵庫を提供する。【解決手段】第１貯蔵室３の背面を形成する背面板１２と、背面板１２の後方に形成される冷気ダクト１１と、冷気ダクト１１内に配される送風ファン１３とを備え、送風ファン１３の駆動によって冷気ダクト１１に冷気を流通させる冷蔵庫１において、送風ファン１３はその送風方向が正面水平方向に対して傾斜しており、背面板１２は送風ファン１３の排気口の全部あるいは一部と対向して第１貯蔵室３側へ突出した突出部１５を有することにより、送風ファン１３から送出された気流を突出部１５に沿って流通させた。【選択図】図５
2011196611.tif 000002
【特許請求の範囲】
【請求項１】
第１貯蔵室の背面を形成する背面板と、前記背面板の後方に形成される冷気ダクトと、前記冷気ダクト内に配される送風ファンとを備え、前記送風ファンの駆動によって前記冷気ダクトに冷気を流通させる冷蔵庫において、前記送風ファンはその送風方向が正面水平方向に対して傾斜しており、前記背面板は前記送風ファンの排気口の全部あるいは一部と対向して第１貯蔵室側へ突出した突出部を有することにより、前記送風ファンから送出された気流を前記突出部に沿って流通させることを特徴とする冷蔵庫。
【請求項２】
前記突出部の一部の面は、前記送風ファンの前記排気口を形成した面の傾斜方向とほぼ同方向に傾斜していることを特徴とする請求項１に記載の冷蔵庫。
【請求項３】
前記送風ファンと前記突出部との軸方向における距離が、前記送風ファンの羽根車の直径の１／４以上であることを特徴とする請求項１または請求項２に記載の冷蔵庫。
【請求項４】
第１貯蔵室に冷気を吐出する吐出口を前記突出部の前端近傍に設けたことを特徴とする請求項１〜請求項３のいずれかに記載の冷蔵庫。
【請求項５】
前記突出部は、前記送風ファンの回転軸を含む平面に対して、非対称に形成されることを特徴とする請求項１〜請求項４のいずれかに記載の冷蔵庫。
【請求項６】
前記冷気ダクトには冷気が流出する連通口が設けられ、前記送風ファンの回転軸を通るとともに前記連通口の面積重心点を通る平面によって、前記突出部の内部領域を第１領域と第２領域に分割した際に、第１領域と第２領域の容積が異なることを特徴とする請求項１〜請求項５のいずれかに記載の冷蔵庫。
【請求項７】
第１領域と第２領域のうち、領域内で前記送風ファンの羽根が前記連通口に近づく方向に回転している側の領域が、他方の領域より内容積が大きいことを特徴とする請求項６に記載の冷蔵庫。
【請求項８】
第１貯蔵室の上方または下方に配される第２貯蔵室を備え、前記連通口からの冷気が第２貯蔵室に導かれることを特徴とする請求項６または請求項７に記載の冷蔵庫。
【発明の詳細な説明】
【技術分野】
【０００１】
本発明は、貯蔵室の後方に配された冷気ダクト内に送風ファンを設けた冷蔵庫に関する。
【背景技術】
【０００２】
従来の冷蔵庫は特許文献１に開示されている。この冷蔵庫は断熱壁により仕切られた複数の貯蔵室を備え、上方から順に冷蔵室、冷凍室及び野菜室が配される。冷凍室及び冷蔵室の後方には冷気が流通する第１冷気ダクト及び第２冷気ダクトがそれぞれ設けられる。
【０００３】
図２１は第１冷気ダクトの側面断面図を示している。第１冷気ダクト１１の前面は冷凍室の背面板１２により形成される。第１冷気ダクト１１内には送風ファン１３が設けられ、送風ファン１３の下方に冷却器（不図示）が配される。送風ファン１３は回転軸１３ａを前後方向に対して傾斜し、前面に開口する排気口が上方に向けられる。背面板１２には冷気を吐出する冷凍室吐出口１２ａが開口し、第１冷気ダクト１１の上面には第２冷気ダクト（不図示）に連通する連通口１１ａが設けられる。
【０００４】
第２冷気ダクトの前面は冷蔵室の背面板により形成され、背面板には冷気を吐出する冷蔵室吐出口が開口する。第２冷気ダクトは連通口１１ａに配されるダンパ（不図示）を介して第１冷気ダクトに連通する。また、第１冷気ダクトの側方に配される第３冷気ダクトによって冷蔵室と野菜室とが連通し、冷凍室及び野菜室には第１冷気ダクトに冷気が戻る冷凍室戻り口及び野菜室戻り口がそれぞれ設けられる。
【０００５】
送風ファン１３の駆動によって第１冷気ダクト１１を流通する空気が冷却器と熱交換して冷気が生成される。送風ファン１３の排気口から送出される冷気は冷凍室の背面板１２に沿って上方に流通するとともに、分岐して前方の冷凍室吐出口１２ａに導かれる。排気口から上方に流通する冷気は第２冷気ダクトを通って冷蔵室吐出口から冷蔵室に吐出され、冷蔵室内を循環する。これにより、冷蔵室が冷却される。
【０００６】
冷蔵室を循環した冷気は第３冷気ダクトを介して野菜室に流入する。野菜室に流入した冷気は野菜室内を循環し、野菜室戻り口を介して第１冷気ダクト１１に戻る。これにより、野菜室が冷却される。また、冷凍室吐出口１２ａから冷凍室に吐出された冷気は冷凍室内を循環し、冷凍室戻り口を介して第１冷気ダクト１１に戻る。これにより、冷凍室が冷却される。
【先行技術文献】
【特許文献】
【０００７】
【特許文献１】特開２００９−６８８００号公報（第４頁−第１５頁、第３図）
【発明の概要】
【発明が解決しようとする課題】
【０００８】
しかしながら上記従来の冷蔵庫によると、送風ファン１３が背面板１２に接近して配されると、送風ファン１３の前端となる下端で送風ファン１３と背面板１２との距離Ｄが小さくなる。これにより、第１冷気ダクト１１の通風抵抗が大きくなるため送風ファン１３の流量が低下して送風効率が悪くなる問題があった。
【０００９】
一方、図２２に示すように、背面板１２を送風ファン１３から十分離して送風ファン１３と背面板１２との距離Ｄを大きくすると、送風ファン１３の流量の低下を防止することができる。しかしながら、冷凍室の容積が減少し、冷蔵庫の容積効率が低下する問題があった。
【００１０】
本発明は、送風効率及び容積効率の高い冷蔵庫を提供することを目的とする。
【課題を解決するための手段】
【００１１】
上記目的を達成するために本発明は、第１貯蔵室の背面を形成する背面板と、前記背面板の後方に形成される冷気ダクトと、前記冷気ダクト内に配される送風ファンとを備え、前記送風ファンの駆動によって前記冷気ダクトに冷気を流通させる冷蔵庫において、前記送風ファンはその送風方向が正面水平方向に対して傾斜しており、前記背面板は前記送風ファンの排気口の全部あるいは一部と対向して第１貯蔵室側へ突出した突出部を有することにより、前記送風ファンから送出された気流を前記突出部に沿って流通させることを特徴としている。
【００１２】
この構成によると、送風ファンの回転軸が例えば、前後方向に対して前方が上がるように傾斜し、送風ファンから正面水平方向に対して傾斜した前方上方に向けて冷気が送出される。第１貯蔵室の背面板には送風ファンの排気口に対向した突出部が形成される。送風ファンから送出された冷気は突出部に沿って上方に導かれる。この時、送風ファンから送出された冷気が分岐し、背面板に沿って上方と側方とに流通してもよい。また、送風ファンの回転軸は前後方向に対して前方が下がるように傾斜してもよく、前後方向に対して側方に傾斜してもよい。
【００１３】
また本発明は、上記構成の冷蔵庫において、前記突出部の一部の面は、前記送風ファンの前記排気口を形成した面の傾斜方向とほぼ同方向に傾斜していることを特徴としている。この構成によると、送風ファンから送出された冷気は突出部の傾斜した面に沿って上方に導かれる。
【００１４】
また本発明は、上記構成の冷蔵庫において、前記送風ファンと前記突出部との軸方向における距離が、前記送風ファンの羽根車の直径の１／４以上であることを特徴としている。この構成によると、送風ファンの前方の遮蔽物による流量低下の悪影響を抑制することができる。
【００１５】
また本発明は、上記構成の冷蔵庫において、第１貯蔵室に冷気を吐出する吐出口を前記突出部の前端近傍に設けたことを特徴としている。この構成によると、送風ファンから前方に流通する冷気は突出部の前端近傍の吐出口から第１貯蔵室に吐出される。これにより、送風ファンの前端に対向した突出部の前端部での気流の停滞が防止される。
【００１６】
また本発明は、上記構成の冷蔵庫において、前記突出部は、前記送風ファンの回転軸を含む平面に対して、非対称に形成されることを特徴としている。
【００１７】
また本発明は、上記構成の冷蔵庫において、前記冷気ダクトには冷気が流出する連通口が設けられ、前記送風ファンの回転軸を通るとともに前記連通口の面積重心点を通る平面によって、前記突出部の内部領域を第１領域と第２領域に分割した際に、第１領域と第２領域の容積が異なることを特徴としている。
【００１８】
この構成によると、例えば、冷気ダクトの上面に連通口が設けられ、送風ファンの回転によって冷気ダクト内の空気が連通口に導かれる。この時、送風ファンの回転軸及び連通口の面積重心点を通る平面で突出部の内部を左右に分割した第１領域と第２領域の容積が異なる。これにより、上方に導かれる冷気の流路断面における単位面積当たりの流量を左右方向で均一に近づけることができる。
【００１９】
また本発明は、上記構成の冷蔵庫において、第１領域と第２領域のうち、領域内で前記送風ファンの羽根が前記連通口に近づく方向に回転している側の領域が、他方の領域より内容積が大きいことを特徴としている。
【００２０】
この構成によると、例えば、冷気ダクトの上面に連通口が設けられ、送風ファンは反時計回りに回転する。この時、突出部の正面から見て送風ファンの回転軸よりも右側は送風ファンの羽根が連通口に近づく方向に回転し、左側は送風ファンの羽根が連通口から遠ざかる方向に回転する。そして、右側の領域の内容積が左側の領域の内容積よりも大きく、突出部を上方に導かれる冷気の流路断面における単位面積当たりの流量を左右方向で均一に近づけることができる。
【００２１】
また本発明は、上記構成の冷蔵庫において、第１貯蔵室の上方または下方に配される第２貯蔵室を備え、前記連通口からの冷気が第２貯蔵室に導かれることを特徴としている。この構成によると、例えば、第１貯蔵室の上方に第２貯蔵室が配され、送風ファンの回転軸が前後方向に対して前方が上がるように傾斜する。送風ファンから前方上方に向けて送出された冷気は背面板に沿って上方に流通し、第２貯蔵室に導かれる。
【発明の効果】
【００２２】
本発明によると、送風ファンの送風方向が正面水平方向に対して傾斜し、第１貯蔵室の背面板が送風ファンの排気口に対向した突出部を有するので、冷気ダクトの通風抵抗を小さくして送風効率の低下を防止することができるとともに、第１貯蔵室の容積を広く確保して容積効率の低下を防止することができる。
【図面の簡単な説明】
【００２３】
【図１】本発明の第１実施形態の冷蔵庫を示す側面断面図
【図２】本発明の第１実施形態の冷蔵庫のダクトユニットを示す斜視図
【図３】本発明の第１実施形態の冷蔵庫のダクトユニットを示す正面図
【図４】本発明の第１実施形態の冷蔵庫のダクトユニットを示す上面断面図
【図５】本発明の第１実施形態の冷蔵庫のダクトユニットを示す側面断面図
【図６】本発明の第１実施形態の冷蔵庫の送風ファンと背面板との距離による流量の変化を説明する図
【図７】比較例の冷蔵庫のダクトユニットを示す側面断面図
【図８】本発明の第１実施形態の冷蔵庫のダクトユニットの送風ファンの変形例を示す正面図
【図９】本発明の第２実施形態の冷蔵庫のダクトユニットを示す側面断面図
【図１０】本発明の第３実施形態の冷蔵庫のダクトユニットを示す側面断面図
【図１１】本発明の第４実施形態の冷蔵庫のダクトユニットを示す斜視図
【図１２】本発明の第４実施形態の冷蔵庫のダクトユニットを示す上面断面図
【図１３】比較例の冷蔵庫のダクトユニットを示す概略斜視図
【図１４】本発明の第５実施形態の冷蔵庫のダクトユニットを示す上面断面図
【図１５】本発明の第６実施形態の冷蔵庫のダクトユニットを示す上面断面図
【図１６】本発明の第７実施形態の冷蔵庫のダクトユニットを示す正面図
【図１７】本発明の第７実施形態の冷蔵庫のダクトユニットを示す上面断面図
【図１８】本発明の第８実施形態の冷蔵庫のダクトユニットを示す正面図
【図１９】本発明の第８実施形態の冷蔵庫のダクトユニットを示す上面断面図
【図２０】本発明の第９実施形態の冷蔵庫のダクトユニットを示す正面図
【図２１】従来の冷蔵庫の冷気ダクトを示す側面断面図
【図２２】従来の冷蔵庫の冷気ダクトを示す側面断面図
【発明を実施するための形態】
【００２４】
以下に本発明の実施形態を図面を参照して説明する。図１は第１実施形態の冷蔵庫を示す側面断面図である。説明の便宜上前述の図２１、２２に示す従来例と同様の部分には同一の符号を付している。冷蔵庫１は断熱箱体により形成される本体部２内の下部に冷凍室３（第１貯蔵室）が配され、上部に冷蔵室４（第２貯蔵室）が配される。冷凍室３と冷蔵室４とは断熱壁５により仕切られる。
【００２５】
冷凍室３の背後には箱状のダクトユニット１０が設けられる。ダクトユニット１０の前面によって冷凍室３の背面板１２が形成され、背面板１２の後方に冷気が流通する第１冷気ダクト１１が形成される。背面板１２の上部には冷凍室３に冷気を吐出する複数の冷凍室吐出口１２ａが開口し、下部には第１冷気ダクト１１に冷気を戻す冷凍室戻り口１２ｂが開口する。
【００２６】
ダクトユニット１０の上面には連通口１１ａが開口し、断熱壁５に設けた孔部５ａに連通口１１ａが対向する。第１冷気ダクト１１内の下部には冷却器１４が配され、冷却器１４の上方には送風ファン１３が配される。詳細を後述するように、送風ファン１３は回転軸を前後方向に対して鉛直面内で前方が上がるように傾斜して配される。これにより、第１冷気ダクト１１の奥行を狭く形成して送風ファン１３から上方に冷気を容易に送出することができる。
【００２７】
冷蔵室４の背面は断熱壁５上に立設される背面板２２により形成され、背面板２２の後方に冷気が流通する第２冷気ダクト２１が形成される。第２冷気ダクト２１は孔部５ａ及び連通口１１ａを介して第１冷気ダクト１１に連通する。背面板２２の上部には冷蔵室４に冷気を吐出する複数の冷蔵室吐出口２２ａが開口する。また、冷蔵室４内の冷気を第１冷気ダクト１１の下部に戻す戻りダクト（不図示）が設けられている。
【００２８】
図２、図３、図４、図５はダクトユニット１０の斜視図、正面図、上面断面図及び側面断面図を示している。送風ファン１３は軸方向から吸気して軸方向に排気する軸流ファンから成り、放射状の複数の羽根１３ｅを有した羽根車１３ｄが軸方向から見て矩形のハウジング１３ｃにより覆われる。ハウジング１３ｃには軸方向の両端面にそれぞれ円形の排気口１３ｂ及び吸気口（不図示）が開口する。
【００２９】
送風ファン１３の排気口１３ｂは背面板１２に面して前方に向けられ、回転軸１３ａは前後方向に対して鉛直面内で前方が上がるように傾斜する。これにより、送風ファン１３の排気口１３ｂが形成された排気面１３ｆはその法線が前方側で上向きに傾斜し、送風ファン１３の送風方向が正面水平方向に対して上方に傾斜する。また、送風ファン１３の排気口１３ｂは傾斜によって最も前方に配される前端Ｐが下端により形成される。送風ファン１３の羽根車１３ｄは正面から見て反時計回り（図３の矢印Ｃ方向）に回転する。
【００３０】
背面板１２には送風ファン１３に対向して前方に突出する突出部１５が形成される。突出部１５は排気口１３ｂの前端Ｐ近傍から突出して上方に延び、送風ファン１３の排気面１３ｆに対向した傾斜面１５ａが上部に形成される。傾斜面１５ａの法線は前方側で上向きに傾斜する。傾斜面１５ａと送風ファン１３の排気面１３ｆとは軸方向に所定の距離Ｄだけ離れて配される。また、傾斜面１５ａは排気面１３ｆよりも鉛直に近い角度で傾斜し、傾斜面１５ａと排気面１３ｆとの距離Ｄが排気口１３ｂの前端Ｐから離れて上方になる程大きくなっている。
【００３１】
背面板１２に開口する冷凍室吐出口１２ａは突出部１５の周囲に複数設けられる。そして、突出部１５と冷凍室吐出口１２ａとの間には段部１６が形成される。段部１６は背面板１２から前方に突出し、段部１６上に突出部１５が更に突出して設けられる。尚、段部１６は設けなくてもよい。
【００３２】
送風ファン１３が駆動されると、第１冷気ダクト１１内を空気が流通する。第１冷気ダクト１１内を流通する空気は冷却器１４と熱交換して冷気が生成される。冷気は送風ファン１３の排気口１３ｂから矢印Ａ１（図５参照）に示すように前方上方に向かって送出される。この時、背面板１２と送風ファン１３の排気面１３ｆとの間には突出部１５によって所定量の距離Ｄが設けられるため、通風抵抗の増大が防止されるとともに騒音が低減される。
【００３３】
背面板１２に到達した冷気は分岐して背面板１２に沿って矢印Ａ２１（図５参照）に示すように上方に流通するとともに、矢印Ａ１１、Ａ１２（図３参照）に示すように側方に流通する。
【００３４】
背面板１２に沿って上方に流通した冷気は矢印Ａ２２（図５参照）に示すように連通口１１ａを介して第１冷気ダクト１１から流出し、孔部５ａから第２冷気ダクト２１に流入する。第２冷気ダクト２１に流入した冷気は矢印Ａ２３（図１参照）に示すように第２冷気ダクト２１を上昇し、冷蔵室吐出口２２ａから冷蔵室４に吐出される。冷蔵室４に吐出された冷気は矢印Ａ２４（図１参照）に示すように冷蔵室４内を循環し、冷蔵室４内を冷却する。冷蔵室４内を循環した冷気は戻りダクト（不図示）を介して第１冷気ダクト１１に戻る。
【００３５】
送風ファン１３の排気側で分岐して側方に流通した冷気は第１冷気ダクト１１の側部を上下に流通し、冷凍室吐出口１２ａから矢印Ａ１３（図５参照）に示すように冷凍室３に吐出される。冷凍室３に吐出された冷気は矢印Ａ１４（図１参照）に示すように冷凍室３内を循環し、冷凍室３内を冷却する。冷凍室３内を循環した冷気は冷凍室戻り口１２ｂを介して第１冷気ダクト１１に戻る。
【００３６】
図６は送風ファン１３の排気側に隙間を設けて回転軸１３ａに垂直な遮蔽板を配した際の送風ファン１３の流量を示す図である。横軸は隙間の大きさ（単位：ｍｍ）を示し、縦軸は送風ファン１３の流量（単位：ｍ3／ｈ）を示している。尚、送風ファン１３の羽根車１３ｄの直径は１２０ｍｍである。
【００３７】
同図によると、遮蔽板が送風ファン１３から十分離れて配置されると送風ファン１３の流量は飽和し、遮蔽板がない状態と同等になる。図中、Ｅ１で示すように送風ファン１３と遮蔽板との隙間が３０ｍｍ以上であると、遮蔽板がない場合の９０％以上の流量を確保することができる。従って、送風ファン１３と突出部１５の傾斜面１５ａとの距離Ｄを羽根車１３ｄの直径の１／４以上設けると、流量の低下を抑制することができる。
【００３８】
また、図中、Ｅ２で示すように送風ファン１３と遮蔽板との隙間が４０ｍｍ以上であると、遮蔽板がない場合の９５％以上の流量を確保することができる。従って、送風ファン１３と突出部１５の傾斜面１５ａとの距離Ｄを羽根車１３ｄの直径の１／３以上設けると、流量の低下を更に抑制することができる。
【００３９】
また、本実施形態の冷蔵庫１の送風ファン１３の流量を図７に示す比較例の送風ファン１３の流量と比較した。両者とも羽根車１３ｄの直径は１２０ｍｍであり、送風ファン１３と下端と背面板１２との距離Ｄを４０ｍｍとしている。そして、比較例の背面板１２は送風ファン１３に対向して鉛直に形成される。両者を比較した結果、本実施形態は比較例の９９．５％の流量を確保することができた。従って、流量の低下を抑制して冷凍室３の内容積を比較例よりも大きくすることができる。
【００４０】
本実施形態によると、送風ファン１３の送風方向が正面水平方向に対して傾斜し、冷凍室３（第１貯蔵室）の背面板１２が送風ファン１３の排気口１３ｂに対向した突出部１５を有するので、第１冷気ダクト１１の通風抵抗を小さくして送風効率の低下を防止することができるとともに、冷凍室３の容積を広く確保して容積効率の低下を防止することができる。
【００４１】
また、突出部１５の傾斜面１５ａは、送風ファン１３の排気口１３ｂを形成した排気面の傾斜方向とほぼ同方向に傾斜しているので、送風効率の低下を防止して冷凍室３の容積をより広く確保することができる。
【００４２】
また、送風ファン１３と突出部１５との軸方向における距離Ｄが、送風ファン１３の羽根車の直径の１／４以上であるので、流量の低下を確実に抑制することができる。
【００４３】
また、排気口１３ｂの前端Ｐから離れる程、排気面１３ｆと傾斜面１５ａとの距離Ｄをを大きくしたので、流量の低下をより抑制することができる。
【００４４】
本実施形態において、冷凍室吐出口１２ａを送風ファン１３に対向して配置してもよい。この時、送風ファン１３の排気口１３ｂから前方上方に送出された冷気は背面板１２に到達して冷凍室吐出口１２ａから冷凍室３に吐出される。
【００４５】
また、図８に示すように、送風ファン１３のハウジング１３ｃを軸方向から見て円形に形成してもよい。
【００４６】
次に、図９は第２実施形態の冷蔵庫１のダクトユニット１０を示す側面断面図である。説明の便宜上、前述の図１〜図５に示す第１実施形態と同様の部分は同一の符号を付している。本実施形態はダクトユニット１０の突出部１５の構造が第１実施形態と異なっている。その他の部分は第１実施形態と同一である。
【００４７】
背面板１２に設けられる突出部１５は排気口１３ｂの前端Ｐ近傍から前方に突出し、傾斜面１５ａは送風ファン１３の回転軸１３ａよりも下方の排気面１３ｆに対向する。これにより、排気面１３ｆと傾斜面１５ａとの間に所定量の距離Ｄが設けられる。距離Ｄは前述したように送付ファン１３の羽根車１３ｄの直径の１／４以上であれば望ましく、１／３以上であればより望ましい。そして、傾斜面１５ａよりも上方で背面板１２の鉛直面が排気面１３ｆに対向する。
【００４８】
本実施形態によると、送風ファン１３の回転軸１３ａの傾斜角度が大きい場合に、突出部１５の体積を小さくして傾斜面１５ａを含む背面板１２と排気面１３ｆとの間の距離を大きく確保することができる。これにより、第１実施形態と同様の効果を得ることができる。尚、前述の図８と同様に、送風ファン１３のハウジング１３ｃを軸方向から見て円形に形成してもよい。
【００４９】
次に、図１０は第３実施形態の冷蔵庫１のダクトユニット１０を示す側面断面図である。説明の便宜上、前述の図９に示す第２実施形態と同様の部分は同一の符号を付している。本実施形態はダクトユニット１０の突出部１５に冷凍室吐出口１２ｃが設けられる。その他の部分は第２実施形態と同一である。
【００５０】
冷凍室吐出口１２ｃは傾斜面１５ａの前端近傍に設けられ、突出部１５の下部に到達した冷気が冷凍室吐出口１２ｃから直ちに冷凍室３（図１参照）に吐出される。これにより、排気口１３ｂの前端Ｐに対向した突出部１５の前端部において、気流の停滞による渦流の発生を防止することができる。従って、第２実施形態と同様の効果に加えて、送風効率をより向上することができる。尚、前述の図８と同様に、送風ファン１３のハウジング１３ｃを軸方向から見て円形に形成してもよい。
【００５１】
次に、図１１、図１２は第４実施形態の冷蔵庫１のダクトユニット１０を示す側面断面図及び上面断面図である。説明の便宜上、前述の図１〜図５に示す第１実施形態と同様の部分は同一の符号を付している。本実施形態はダクトユニット１０の突出部１５の構造が第１実施形態と異なっている。その他の部分は第１実施形態と同一である。
【００５２】
送風ファン１３の回転軸１３ａ（図５参照）は前方が上がるように傾斜し、突出部１５の傾斜面１５ａは送風ファン１３の排気面１３ｆに対向する。傾斜面１５ａは側方から見て法線が前方側で上向きになるように傾斜する。更に、突出部１５の前面は上方から見て法線が前方側で左側に向くように傾斜して形成される。
【００５３】
送風ファン１３は正面から見て反時計回り（矢印Ｃ方向）に回転し、冷気は上方の連通口１１ａに導かれるとともに冷凍室吐出口１２ａに向かって両側方に導かれる。この時、第１冷気ダクト１１の右側では冷気流速に上方への流速成分が加わり、左側では冷気流速に下方への流速成分が加わる。これにより、第１冷気ダクト１１の左側の冷気の一部は降下し、第１冷気ダクト１１の右側を通って上方の連通口１１ａに導かれる。
【００５４】
このため、図１３の比較例に示すように、第１冷気ダクト１１の前面に左右方向の傾斜がなければ、送風ファン１３の下流で第１冷気ダクト１１内の回転軸１３ａよりも右側で流路断面における単位面積当たりの流量が多くなり、左側で流路断面における単位面積当たりの流量が少なくなる。
【００５５】
突出部１５の前面は上方から見て法線が前方側で左側に向くように傾斜するため、突出部１５の右側の内容積が左側の内容積よりも大きくなる。即ち、回転軸１３ａを通って連通口１１ａの面積重心点を通る平面Ｆにより突出部１５を二分して、右側の第１領域１５ｃ（図１２において右下がりのハッチングで示す）の内容積が左側の第２領域１５ｄ（図１２において右上がりのハッチングで示す）の内容積よりも大きい。また、突出部１５は送風ファン１３の回転軸１３ａを含む平面Ｆに対して左右方向に非対称に形成される。
【００５６】
この時、第１領域１５ｃは送風ファン１３の羽根１３ｅが排気口１３ｂの前端Ｐから遠ざかり、連通口１１ａに近づく方向に回転している側になる。また、第２領域１５ｄは羽根１３ｅが回転によって排気口１３ｂの前端Ｐに近づき、連通口１１ａから遠ざかる方向に回転している側になる。これにより、第１冷気ダクト１１を上昇する冷気の流路断面における単位面積当たりの流量を左右方向で均一に近づけることができ、第１冷気ダクト１１の圧力損失を減少させることができる。
【００５７】
本実施形態によると、第１実施形態と同様の効果に加え、突出部１５は送風ファン１３の回転軸１３ａを含む平面Ｆに対して非対称に形成される。これにより、突出部１５の第１領域１５ｃと第２領域１５ｄの容積が異なり、第１領域１５ｃの内容積が第２領域１５ｄの内容積よりも大きい。従って、第１冷気ダクト１１の圧力損失が減少して送風効率をより向上させることができる。尚、前述の図８と同様に、送風ファン１３のハウジング１３ｃを軸方向から見て円形に形成してもよい。
【００５８】
次に、図１４は第５実施形態の冷蔵庫１のダクトユニット１０を示す上面断面図である。説明の便宜上、前述の図１１、図１２に示す第４実施形態と同様の部分は同一の符号を付している。本実施形態はダクトユニット１０の突出部１５の構造が第４実施形態と異なっている。その他の部分は第４実施形態と同一である。
【００５９】
突出部１５の前面は送風ファン１３の回転軸１３ａ（図５参照）に対して頂部が右側に偏った山形に形成される。このため、回転軸１３ａを通って連通口１１ａの面積重心点を通る平面Ｆにより突出部１５を二分して、右側の第１領域１５ｃの内容積が左側の第２領域１５ｄの内容積よりも大きい。また、突出部１５は送風ファン１３の回転軸１３ａを含む平面Ｆに対して左右方向に非対称に形成される。
【００６０】
この時、第１領域１５ｃは送風ファン１３の羽根１３ｅが排気口１３ｂの前端Ｐから遠ざかり、連通口１１ａに近づく方向に回転している側になる。また、第２領域１５ｄは羽根１３ｅが回転によって排気口１３ｂの前端Ｐに近づき、連通口１１ａから遠ざかる方向に回転している側になる。
【００６１】
これにより、第４実施形態と同様に、第１冷気ダクト１１を上昇する冷気の流路断面における単位面積当たりの流量を左右方向で均一に近づけることができ、第１冷気ダクト１１の圧力損失が減少して送風効率をより向上させることができる。尚、前述の図８と同様に、送風ファン１３のハウジング１３ｃを軸方向から見て円形に形成してもよい。
【００６２】
次に、図１５は第６実施形態の冷蔵庫１のダクトユニット１０を示す上面断面図である。説明の便宜上、前述の図１１、図１２に示す第４実施形態と同様の部分は同一の符号を付している。本実施形態はダクトユニット１０の突出部１５の構造が第４実施形態と異なっている。その他の部分は第４実施形態と同一である。
【００６３】
突出部１５の前面は平坦な頂部を有した山形に形成され、送風ファン１３の回転軸１３ａ（図５参照）に対して頂部が右側に偏っている。このため、回転軸１３ａを通って連通口１１ａの面積重心点を通る平面Ｆにより突出部１５を二分して、右側の第１領域１５ｃの内容積が左側の第２領域１５ｄの内容積よりも大きい。また、突出部１５は送風ファン１３の回転軸１３ａを含む平面Ｆに対して左右方向に非対称に形成される。
【００６４】
この時、第１領域１５ｃは送風ファン１３の羽根１３ｅが排気口１３ｂの前端Ｐから遠ざかり、連通口１１ａに近づく方向に回転している側になる。また、第２領域１５ｄは羽根１３ｅが回転によって排気口１３ｂの前端Ｐに近づき、連通口１１ａから遠ざかる方向に回転している側になる。
【００６５】
これにより、第４実施形態と同様に、第１冷気ダクト１１を上昇する冷気の流路断面における単位面積当たりの流量を左右方向で均一に近づけることができ、第１冷気ダクト１１の圧力損失が減少して送風効率をより向上させることができる。尚、前述の図８と同様に、送風ファン１３のハウジング１３ｃを軸方向から見て円形に形成してもよい。
【００６６】
次に、図１６、図１７は第７実施形態の冷蔵庫１のダクトユニット１０を示す正面図及び上面断面図である。説明の便宜上、前述の図１１、図１２に示す第４実施形態と同様の部分は同一の符号を付している。本実施形態はダクトユニット１０の突出部１５の構造が第４実施形態と異なっている。その他の部分は第４実施形態と同一である。
【００６７】
突出部１５の前面には正面視楕円形の凸部１５ｂが突設される。凸部１５ｂは左右対称な前方に凸の曲面により形成され、送風ファン１３の回転軸１３ａ（図５参照）に対して頂部が右側に偏って配置される。送風ファン１３から送出された冷気は傾斜面１５ａ及び凸部１５ｂの内面に沿って上方及び側方に導かれる。
【００６８】
突出部１５は回転軸１３ａを通って連通口１１ａの面積重心点を通る平面Ｆにより二分して、右側の第１領域１５ｃの内容積が左側の第２領域１５ｄの内容積よりも大きい。また、突出部１５は送風ファン１３の回転軸１３ａを含む平面Ｆに対して左右方向に非対称に形成される。
【００６９】
この時、第１領域１５ｃは送風ファン１３の羽根１３ｅが排気口１３ｂの前端Ｐから遠ざかり、連通口１１ａに近づく方向に回転している側になる。また、第２領域１５ｄは羽根１３ｅが回転によって排気口１３ｂの前端Ｐに近づき、連通口１１ａから遠ざかる方向に回転している側になる。
【００７０】
これにより、第４実施形態と同様に、第１冷気ダクト１１を上昇する冷気の流路断面における単位面積当たりの流量を左右方向で均一に近づけることができ、第１冷気ダクト１１の圧力損失が減少して送風効率をより向上させることができる。尚、前述の図８と同様に、送風ファン１３のハウジング１３ｃを軸方向から見て円形に形成してもよい。
【００７１】
次に、図１８、図１９は第８実施形態の冷蔵庫１のダクトユニット１０を示す正面図及び上面断面図である。説明の便宜上、前述の図１１、図１２に示す第４実施形態と同様の部分は同一の符号を付している。本実施形態はダクトユニット１０の突出部１５の構造が第４実施形態と異なっている。その他の部分は第４実施形態と同一である。
【００７２】
突出部１５の前面には正面視楕円形の凸部１５ｂが突設される。凸部１５ｂは送風ファン１３の回転軸１３ａ（図５参照）に対して頂部が右側に偏った前方に凸の曲面に形成される。送風ファン１３から送出された冷気は傾斜面１５ａ及び凸部１５ｂの内面に沿って上方及び側方に導かれる。
【００７３】
突出部１５は回転軸１３ａを通って連通口１１ａの面積重心点を通る平面Ｆにより二分して、右側の第１領域１５ｃの内容積が左側の第２領域１５ｄの内容積よりも大きい。また、突出部１５は送風ファン１３の回転軸１３ａを含む平面Ｆに対して左右方向に非対称に形成される。
【００７４】
この時、第１領域１５ｃは送風ファン１３の羽根１３ｅが排気口１３ｂの前端Ｐから遠ざかり、連通口１１ａに近づく方向に回転している側になる。また、第２領域１５ｄは羽根１３ｅが回転によって排気口１３ｂの前端Ｐに近づき、連通口１１ａから遠ざかる方向に回転している側になる。
【００７５】
これにより、第４実施形態と同様に、第１冷気ダクト１１を上昇する冷気の流路断面における単位面積当たりの流量を左右方向で均一に近づけることができ、第１冷気ダクト１１の圧力損失が減少して送風効率をより向上させることができる。尚、前述の図８と同様に、送風ファン１３のハウジング１３ｃを軸方向から見て円形に形成してもよい。
【００７６】
次に、図２０は第９実施形態の冷蔵庫１のダクトユニット１０を示す正面図である。説明の便宜上、前述の図１〜図５に示す第１実施形態と同様の部分は同一の符号を付している。本実施形態は送風ファン１３の配置が第１実施形態と異なっている。その他の部分は第１実施形態と同一である。
【００７７】
突出部１５は背面板１２の左右方向の中央に配され、送風ファン１３は突出部１５に面して背面板１２の左側に偏って配される。また、連通口１１ａは送風ファン１３の回転軸１３ａの真上に配される。このため、回転軸１３ａを通って連通口１１ａの面積重心点を通る平面Ｆにより突出部１５を二分して、右側の第１領域１５ｃの内容積が左側の第２領域１５ｄの内容積よりも大きい。また、突出部１５は送風ファン１３の回転軸１３ａを含む平面Ｆに対して左右方向に非対称に形成される。
【００７８】
この時、第１領域１５ｃは送風ファン１３の羽根１３ｅが排気口１３ｂの前端Ｐから遠ざかり、連通口１１ａに近づく方向に回転している側になる。また、第２領域１５ｄは羽根１３ｅが回転によって排気口１３ｂの前端Ｐに近づき、連通口１１ａから遠ざかる方向に回転している側になる。
【００７９】
これにより、第１冷気ダクト１１を上昇する冷気の流路断面における単位面積当たりの流量を左右方向で均一に近づけることができ、第１冷気ダクト１１の圧力損失を減少させることができる。
【００８０】
尚、連通口１１ａを突出部１５の左右方向の中心の真上に配してもよい。この場合、回転軸１３ａを通って連通口１１ａの面積重心点を通る平面Ｆは鉛直でない面となる。しかし、平面Ｆにより突出部１５は同様に右側の第１領域１５ｃの内容積が左側の第２領域１５ｄの内容積よりも大きくなるように二分される。従って、上記と同様に、第１冷気ダクト１１の圧力損失減少の効果が得られる。
【００８１】
本実施形態によると、第１実施形態と同様の効果に加え、突出部１５は送風ファン１３の回転軸１３ａを含む平面Ｆに対して非対称に形成される。これにより、突出部１５の第１領域１５ｃと第２領域１５ｄの容積が異なり、突出部１５の第１領域１５ｃの内容積が第２領域１５ｄの内容積よりも大きい。従って、第１冷気ダクト１１の圧力損失が減少して送風効率をより向上させることができる。
【００８２】
尚、送風ファン１３を背面板１２の左右方向の中央に配し、突出部１５を背面板１２の右側に偏って配してもよい。また、前述の図８と同様に、送風ファン１３のハウジング１３ｃを軸方向から見て円形に形成してもよい。
【００８３】
第１〜第９実施形態において、冷凍室３（第１貯蔵室）の上方に冷蔵室４（第２貯蔵室）を配して送風ファン１３から上方の連通口１１ａに冷気を導いているが、この構成に限られない。例えば、冷凍室３（第１貯蔵室）の下方に冷蔵室４（第２貯蔵室）を配して連通口１１ａをダクトユニット１０の下面に設け、送風ファン１３から下方に冷気を導いてもよい。
【００８４】
また、連通口１１ａを第１冷気ダクト１１の側面に設け、送風ファン１３から一側方に冷気を導くために送風ファン１３の回転軸１３ａを前後方向に対して水平面内で傾斜してもよい。例えば、連通口１１ａを第１冷気ダクト１１の右側面に設け、回転軸１３ａを前方を右側に傾斜して配置すると、突出部１５は排気口１３ｂの前端Ｐとなる左端近傍から突出して右方に延び、傾斜面１５ａが送風ファン１３に対向して形成される。この時、突出部１５の第１領域１５ｃ及び第２領域１５ｄは回転軸１３ａを通って連通口１１ａの面積重心点を通る平面で上下に二分される。この場合も上記各実施形態と同様の効果を得ることができる。
【００８５】
また、送風ファン１３を冷凍室３の背後に配置しているが、他の貯蔵室の背後に配置してもよい。
【産業上の利用可能性】
【００８６】
本発明によると、貯蔵室の後方に配された冷気ダクト内に送風ファンを設けた冷蔵庫に利用することができる。
【符号の説明】
【００８７】
１    冷蔵庫
２    本体部
３    冷凍室
４    冷蔵室
５    断熱壁
１０    ダクトユニット
１１    第１冷気ダクト
１１ａ  連通口
１２、２２  背面板
１２ａ、１２ｃ  冷凍室吐出口
１２ｂ  冷凍室戻り口
１３    送風ファン
１３ａ  回転軸
１３ｄ  羽根車
１３ｅ  羽根
１４    冷却器
１５    突出部
１５ａ  傾斜面
１５ｂ  凸部
１５ｃ  第１領域
１５ｄ  第２領域
１６    段部
２１    第２冷気ダクト
２２ａ  冷蔵室吐出口
【図１】
2011196611.tif 000003
【図２】
2011196611.tif 000004
【図３】
2011196611.tif 000005
【図４】
2011196611.tif 000006
【図５】
2011196611.tif 000007
【図６】
2011196611.tif 000008
【図７】
2011196611.tif 000009
【図８】
2011196611.tif 000010
【図９】
2011196611.tif 000011
【図１０】
2011196611.tif 000012
【図１１】
2011196611.tif 000013
【図１２】
2011196611.tif 000014
【図１３】
2011196611.tif 000015
【図１４】
2011196611.tif 000016
【図１５】
2011196611.tif 000017
【図１６】
2011196611.tif 000018
【図１７】
2011196611.tif 000019
【図１８】
2011196611.tif 000020
【図１９】
2011196611.tif 000021
【図２０】
2011196611.tif 000022
【図２１】
2011196611.tif 000023
【図２２】
2011196611.tif 000024